(57)【特許請求の範囲】
【請求項１】
薬物送達デバイス用のアセンブリ（１００）であって、
ハウジングと、
クリッカ部材（２）と、
クラッチ機能（２０）を含む回転可能なクラッチ部材（１）であって、該クラッチ部材（１）が第１の位置と該第１の位置とは異なる第２の位置との間でハウジングに対して軸方向に動くことができるように該アセンブリ（１００）が構成される、クラッチ部材と、
クリッカ機構を形成するようにクリッカ部材（２）と相互作用するように構成される逆クリッカ（８）と、
クリッカ部材（２）とクラッチ部材（１）との間に配置され、クラッチ部材（１）を第１の位置の方へ、クリッカ部材から遠ざけるように動かすように配置されるばね要素（３）と
を含み、
第１の位置において、クラッチ部材（１）がクリッカ部材（２）に対して回転されるとき、逆クリッカ（８）がクリッカ部材（２）に対して回転し、
クラッチ部材（１）が第２の位置にあるとき、クラッチ部材（１）がクリッカ部材（２）に対して回転しない
ように構成される、前記アセンブリ。
【請求項２】
さらなるクラッチ部材（２１）を含み、クラッチ部材（１）が第１の位置にあるとき、クラッチ機能（２０）とさらなるクラッチ部材（２１）との間に確立することができるクラッチ係合部が係合され、クラッチ部材（１）が第２の位置にあるとき、クラッチ係合部が解放されるように構成される、請求項１に記載のアセンブリ（１００）。
【請求項３】
クリッカ機構に加えて、フィードバック部材を含むフィードバック機構を含み、クラッチ部材（１）の第２の位置ではフィードバック機構が動作可能であり、それによりフィードバック部材がクラッチ部材（１）にトルクを及ぼすように構成される、請求項２に記載のアセンブリ（１００）。
【請求項４】
フィードバック部材は、さらなるクラッチ部材（２１）であり、アセンブリ（１００）は、クラッチ部材（１）が第２の位置にあるとき、トルクが、クリッカ部材（２）とクラッチ部材（１）との間の相対的な回転運動に影響を及ぼさないほど小さいように構成される、請求項３に記載のアセンブリ。
【請求項５】
アセンブリ（１００）のピストンロッドに連結されクラッチ部材（１）に対して回転方向にロックされる駆動スリーブ（４）を含む、請求項１〜４の少なくとも１項に記載のアセンブリ（１００）。
【請求項６】
駆動スリーブ（４）は、クリッカ部材（２）およびクラッチ部材（１）を通って延びる、請求項５に記載のアセンブリ（１００）。
【請求項７】
クリッカ部材（２）は、クリッカ機能（７）を含み、逆クリッカ（８）は、逆クリッカ機能（８）を含み、逆クリッカ（８）は、駆動スリーブ（４）によってもたらされ、アセンブリ（１００）は、クリッカ機能（７）および逆クリッカ機能（８）が互いに向かい合って配置されるように構成される、請求項５または６に記載のアセンブリ（１００）。
【請求項８】
クリッカ部材（２）は、クリッカ機能（７）を含み、逆クリッカ（８）は、逆クリッカ機能（８）を含み、逆クリッカ（８）は、クラッチ部材（１）によってもたらされ、アセンブリ（１００）は、クリッカ機能（７）および逆クリッカ機能（８）が互いに向かい合って配置されるように構成される、請求項１〜６の少なくとも１項に記載のアセンブリ（１００）。
【請求項９】
クリッカ部材（２）およびクラッチ部材（１）は、該クラッチ部材（１）が第２の位置にあるとき、クリッカ部材（２）およびクラッチ部材（１）を回転方向にロックするのに適した継手（１０）を介して相互作用するように構成される、請求項１〜８の少なくとも１項に記載のアセンブリ（１００）。
【請求項１０】
クリッカ機構の動作中、クリッカ部材（２）およびクラッチ部材（１）が制限された状態で互いに対して軸方向に動かされ、クラッチ部材（１）が第１の位置にあるとき、クリッカ部材（２）がクラッチ部材（１）に対して動かされるまたはその逆による動きの軸方向距離が、クラッチ部材（１）の第１の位置と第２の位置との間の軸方向距離よりも小さい、ように構成される、請求項１〜９の少なくとも１項に記載のアセンブリ（１００）。
【請求項１１】
クリッカ部材（２）は、ハウジングに対して回転方向に固定され、逆クリッカ（８）は、クラッチ部材（１）が第１に位置においてクリッカ部材（２）に対して回転されるときに逆クリッカ（８）およびクラッチ部材（１）が同速度で回転するようにクラッチ部材（１）に連結される、請求項１〜１０の少なくとも１項に記載のアセンブリ。
【請求項１２】
請求項１〜１１の少なくとも１項に記載のアセンブリ（１００）を含む薬物送達デバイス。
【発明の詳細な説明】
【技術分野】
【０００１】
本開示は、注射器型のデバイスのような薬物送達デバイス用のアセンブリ、および薬物送達デバイスに関する。
【発明の概要】
【発明が解決しようとする課題】
【０００２】
本開示の目的は、薬物送達デバイスを改善することができるアセンブリを提供することである。特に、そのアセンブリを用いることで、薬物送達デバイスをより使い易くかつ／または頑強にすることができる。
【課題を解決するための手段】
【０００３】
この目的は、独立請求項１の主題によって達成される。有利な実施形態および改善点は、従属請求項の主題にある。
【０００４】
本開示の一態様は、ハウジングを含む薬物送達デバイス用のアセンブリに関する。ハウジングは主軸を含むことができる。アセンブリは、クリッカ部材をさらに含む。クリッカ部材は、ハウジングに対して回転方向にロックされる。クリッカ部材は、好ましくは、ある限度内でのみ、ハウジングに対して軸方向に動くことができる。主軸は、ハウジングの長手方向軸であってよい。アセンブリは、クラッチ機能を含むクラッチ部材をさらに含む。クラッチ機能は、回転可能であることが好ましい。クラッチ機能は、例えばアセンブリまたは薬物送達デバイスのさらなるクラッチ部材と相互作用するように構成される。アセンブリは、クリッカ機構を形成するようにクリッカ部材と相互作用するように構成される逆クリッカ（ｃｏｕｎｔｅｒ  ｃｌｉｃｋｅｒ）をさらに含む。
【０００５】
アセンブリは、さらに、クラッチ部材が第１の位置と第１の位置とは異なる第２の位置との間でハウジングに対して軸方向に動くことができるように構成される。第１の位置は、アセンブリまたは薬物送達デバイスの使用者が薬物の用量を設定することができる、クラッチ部材の位置に関係することができる。第２の位置は、アセンブリまたは薬物送達デバイスから用量が実際に投薬されるまたは用量が投薬された後の、クラッチ部材の位置に関係することができる。クラッチ部材の第１の位置および第２の位置は、ハウジングに対するクラッチ部材の異なる軸方向位置に関係することができる。
【０００６】
アセンブリは、クリッカ部材とクラッチ部材との間に配置されるばね要素をさらに含む。ばね要素は、クリッカ部材とクラッチ部材との間に保持される。ばね要素は、クラッチ部材を第１の位置の方に向かってクリッカ部材から遠ざけるように動かすように配置される。
【０００７】
アセンブリは、クラッチ部材が第１の位置にあるときは、クラッチ部材がクリッカ部材に対して回転され、逆クリッカがクリッカ部材に対して回転してクリッキング動作が実施され、クラッチ部材が第２の位置にあるときは、クリッカ部材に対するクラッチ部材の回転およびそれと共にクリッカ部材に対する逆クリッカの回転が阻止されてクリッキング動作が実施されないように構成される。
【０００８】
有利には、提供されるアセンブリの概念によって、例えばハウジングに対する、ばね要素の固定に関する問題を回避することができる。例えば、例えば使用者によるアセンブリまたはデバイスの不適当な操作（ｍａｌｏｐｅｒａｔｉｏｎ）中にクラッチ部材に大きな力またはトルクが加えられたとき、アセンブリの構成要素がその支承部または固定状態から引き出されることを回避することができる。したがって、特に頑強な設計を提供することが可能である。さらに、提供される設計は、薬物送達デバイスが機能するのに欠かせないクラッチの機能性に適合する（以下参照）。
【０００９】
一実施形態では、クリッカ部材は、クラッチ部材が第１の位置にあるとき、クリッカ機構を形成するように逆クリッカと相互作用するように構成されるクリッカ機能を含む。
【００１０】
一態様は、アセンブリを含む薬物送達デバイスに関する。
【００１１】
クリッカ機構は、好ましくは、設定用クリッカ機構（ｓｅｔｔｉｎｇ  ｃｌｉｃｋｅｒ  ｍｅｃｈａｎｉｓｍ）、すなわち、例えばアセンブリおよび／または薬物送達デバイスの用量設定操作中に動作されるクリッカ機構である。
【００１２】
一実施形態では、クリッカ機構は、クラッチ部材が第１の位置にあり、クラッチ部材がハウジングに対して回転されるとき、使用者に可聴的かつ／または触覚的なフィードバックを提供するように配置される。
【００１３】
一実施形態では、クリッカ部材および／またはクラッチ部材は、スリーブ様に構成される。有利には、クラッチ部材およびクリッカ部材は、アセンブリのハウジング内で案内され、したがって、クリッカ機構およびクラッチ係合部が頑強に具現化される（以下参照）。
【００１４】
一実施形態では、アセンブリは、さらなるクラッチ部材を含む。アセンブリは、クラッチ部材が第１の位置にあるとき、クラッチ機能とさらなるクラッチ部材との間に確立することができるクラッチ係合部が係合され、クラッチ部材が第２の位置にあるとき、クラッチ係合部が解放されるように構成される。例えば、クラッチ係合部は、クラッチ部材とさらなるクラッチ部材との間に回転ロッキングを形成するように構成される。有利には、クラッチ部材と前記構成要素との間の相対的な回転が阻止され、その一方でこの回転および／または回転阻止は、アセンブリおよび／または薬物送達デバイスの動作に欠かせない。
【００１５】
一実施形態では、アセンブリは、クリッカ機構に加えて、フィードバック部材を含むフィードバック機構を含む。アセンブリは、クラッチ部材の第２の位置ではフィードバック機構が動作可能であり、それによりフィードバック部材がクラッチ部材にトルクを及ぼすように構成される。アセンブリは、好ましくは、クラッチ部材が第２の位置にあるとき、フィードバック機構が自動的に動作し、好ましくは薬物の用量の投薬中に、アセンブリおよび／または薬物送達デバイスの使用者に可聴的かつ／または触覚的なフィードバックをもたらすように構成される。フィードバック部材は、用量ダイヤルスリーブまたはあらゆる他の構成要素であってよい。
【００１６】
一実施形態では、フィードバック部材は、さらなるクラッチ部材であり、アセンブリは、クラッチ部材が第２の位置にあるとき、トルクがクリッカ部材とクラッチ部材の相対的な回転運動に影響を及ぼさないほど小さいように構成される。この実施形態の利点としては、クラッチ部材が第２の位置にあるとき、クリッカ部材とクラッチ部材をフィードバック機構によって軸方向に分けなくてもよい。
【００１７】
一実施形態では、クリッカ機能および逆クリッカ機能は、クリッカ部材および逆クリッカを含む構成要素の円周周りに間隔を置いて配置される歯をそれぞれ含む、または構築する。この実施形態によれば、クリッカ部材と逆クリッカの相対的な回転が、少なくとも部分的に、クリッカ部材または逆クリッカのそれぞれの他方の構成要素に対する軸方向運動に変換されることが達成される。一般に、クリッカ機構は、このように簡単に具現化することができる。
【００１８】
一実施形態では、クリッカ機構は、クラッチ部材が第１の位置にあるときだけ動作または起動されるように構成される。
【００１９】
一実施形態では、アセンブリは、アセンブリのピストンロッドに連結される駆動スリーブを含む。駆動スリーブは、さらに、クラッチ部材に対して回転方向にロックされる。駆動スリーブおよび／またはピストンロッドは、薬物送達デバイスの駆動スリーブおよびピストンロッドをそれぞれ構築することができる。駆動スリーブは、さらに、クラッチ部材に対して回転方向にロックされる。アセンブリが薬物送達デバイス内に適用される場合、この実施形態が特に適当である。
【００２０】
一実施形態では、駆動スリーブは、クリッカ部材およびクラッチ部材を通って延びる。薬物送達デバイスの頑強な機能性は、この実施形態に従って最も簡単に達成することができる。というのも、駆動部材は、クラッチ部材および／またはクリッカ部材の軸方向延長部の先にある、アセンブリまたは薬物送達デバイスのさらに別の構成要素との相互作用に必要とされるからである。
【００２１】
一実施形態では、クリッカ部材は、ハウジングに対して回転方向に固定される。逆クリッカは、クラッチ部材が第１の位置においてクリッカ部材に対して回転されるときに、逆クリッカおよびクラッチ部材が同速度で回転するようにクラッチ部材に連結される。
【００２２】
一実施形態では、逆クリッカは、駆動スリーブによってもたらされ、アセンブリは、クリッカ機能および逆クリッカ機能が互いに向かい合って配置されるように構成される。この実施形態によって、好都合には、クリッカ機構を形成するために、逆クリッカとクリッカ部材との間の相互作用が可能になる。
【００２３】
一実施形態では、クリッカ部材およびクラッチ部材は、クラッチ部材が第２の位置にあるとき、クリッカ部材およびクラッチ部材を回転方向にロックするのに適した継手を介して相互作用するように構成される。クリッカ部材とクラッチ部材の回転ロッキングは、クラッチ部材が第２に位置にあるとき、フィードバック機能によってクラッチ部材に及ぼされる上述したトルクがクラッチ部材とクリッカ部材を相対的に回転させようとすることがあるので、有利であり得る。前記回転は、要するに、前記継手によって回避可能である。
【００２４】
一実施形態では、アセンブリは、クリッカ機構の動作中、クリッカ部材およびクラッチ部材が制限された状態で互いに対して軸方向に動かされ、クラッチ部材が第１の位置にあるとき、クリッカ部材がクラッチ部材に対して動かされるまたはその逆による動きの軸方向距離が、クラッチ部材の第１の位置と第２の位置との間の軸方向距離よりも小さいように構成される。この実施形態によれば、好都合には、クリッカ機構の動作中における上述の継手の解放を防ぐことができる。
【００２５】
一実施形態では、逆クリッカは、クラッチ部材によってもたらされ、アセンブリは、クリッカ機能および逆クリッカ機能が互いに向かい合って配置されるように構成される。この実施形態によって、好都合には、クリッカ機構を形成するために逆クリッカとクリッカ機能との間の相互作用が可能になる。
【００２６】
クリッカ部材とクラッチ部材との間の上述した相対的な軸方向運動の間、ばね要素は、例えばクリッカ機能の歯と逆クリッカの歯が互いに上を動くまたは通過するときに、付勢または弛緩されることが好ましい。
【００２７】
本明細書で使用する用語「薬物」は、好ましくは少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００２８】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００２９】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３０】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３１】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３２】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３３】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３４】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３５】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３６】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３７】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００３８】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００３９】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４０】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４１】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４２】
薬学的に許容される塩は、例えば、酸付加塩および塩基性塩である。酸付加塩としては、例えば、ＨＣｌまたはＨＢｒ塩がある。塩基性塩は、例えば、アルカリまたはアルカリ土類、例えば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４３】
薬学的に許容される溶媒和物は、例えば、水和物である。
【００４４】
本明細書において、様々な態様または実施形態と併せて上記および以下に述べられる特徴は、やはりまた、他の態様および実施形態に適用することができる。本開示の主題のさらなる特徴および有利な実施形態は、図面と併せて以下の例示的な実施形態の説明から明らかになろう。
【図面の簡単な説明】
【００４５】
【図１Ａ】本開示によるものではないアセンブリの図である。
【図１Ｂ】図１Ａのアセンブリのより詳細な斜視図である。
【図２Ａ】クラッチ部材の斜視図である。
【図２Ｂ】クリッカ部材の斜視図である。
【図２Ｃ】駆動スリーブの斜視図である。
【図３Ａ】本開示によるアセンブリの第１の実施形態の側面図である。
【図３Ｂ】図３Ａのアセンブリのより詳細な側面図である。
【図４Ａ】一代替実施形態によるクリッカ部材の斜視図である。
【図４Ｂ】一代替実施形態によるクラッチ部材の斜視図である。
【図５Ａ】本開示によるアセンブリの一代替実施形態の側面図である。
【図５Ｂ】図５Ａのアセンブリのより詳細な側面図である。
【発明を実施するための形態】
【００４６】
図面において、同様の要素、同じ種類の要素および同一の働きをする要素は、同じ参照番号を備えることができる。さらに、図面における尺度は正確ではないことがある。むしろ、重要な原理をより良く示すために特定の特徴が誇張されて示されることもある。
【００４７】
図１Ａには、本開示によるものではないアセンブリが示されている。アセンブリは、クラッチ部材１を含む。クラッチ部材１は細長い形状を含む。クラッチ部材１の遠位端（図１の左端）は、クリッカ機能７を含む。クリッカ機能７は、歯または歯状境界面（ｔｏｏｔｈ  ｉｎｔｅｒｆａｃｅ）であってよい、またはそれを含むことができる。図１Ａ、１Ｂの左側は、アセンブリ１００の遠位端に関係し、その一方で、右側は、アセンブリの近位端に関係することができる。クラッチ部材１は、さらに、スリーブ様に構成される。アセンブリは、ばね要素３をさらに含む。ばね要素３は、板ばねである。ばね要素３は、ハウジングに対して回転方向にロックされる。ばね要素３は、例えば歯を含む、逆クリッカ（明確に図示せず）を含む。逆クリッカ機能は、クリッカ機構を形成するようにクリッカ機能７と相互作用するように構成される。クリッカ機構は、例えば薬物の用量設定中である、クラッチ部材１がばね要素３に対して回転されるときに、可聴的かつ／または触覚的なフィードバックをもたらすのに適している。アセンブリ１００は、駆動スリーブ４をさらに含む。駆動スリーブ４は、好ましくは、クラッチ部材１の中を少なくとも部分的に延びるように配置される。
【００４８】
図１Ａ、１Ｂに示されるばね要素３は、ハウジング（明確に図示せず）内におけるその固定に関する問題を引き起こすことがある。例えば、薬物の用量の設定中または投薬中に大きな力またはトルクがクラッチ部材１に加えられると、ばね要素３は、その支承部または固定状態から引き出されてしまうことがある。
【００４９】
アセンブリ、薬物送達デバイス、またはその構成要素の「遠位端」とは、薬物送達デバイスの投薬端に最も近い端部を意味することになっている。
【００５０】
アセンブリ、薬物送達デバイス、またはその構成要素の「近位端」とは、薬物送達デバイスの投薬端から最も遠い端部を意味することになっている。
【００５１】
クラッチ部材１は、その近位端に、投薬クリッカ５のようなフィードバック機構をさらに含む。投薬クリッカ５は、弾性アームを含むことができる。弾性アーム（明確に図示せず）は、例えばアセンブリの別の構成要素がクラッチ部材１に対して回転されると、径方向内方に偏向される（以下参照）。
【００５２】
図１Ｂには、図１Ａのアセンブリの一部が示されている。図１Ｂでは、クラッチ部材１は、例えば明確に図示されないハウジングに対して、第１の軸方向位置に配置されている。図面には、さらに、ばね要素３が、ハウジングに対してばね要素３を軸方向にロックするのに役立つ突出部６を含むことが示されている。クラッチ部材１がばね要素３に対して回転されると、クリッカ機能７が、好ましくは、ばね要素３の逆クリッカ８の上をクリックし、それによって可聴的または触覚的なフィードバックが使用者にもたらされる。前記クリッキングまたはフィードバックは、ばね要素３の弾性によって促進されることが好ましい。上述した回転は、アセンブリ１００またはアセンブリ１００が適用される対応する薬物送達デバイスの用量設定またはダイヤル設定操作に関係することができる。
【００５３】
クラッチ部材１が、駆動スリーブ４に対して遠位方向（第２の軸方向位置）、すなわち図１Ｂの左に動かされると、ばね部材３が付勢され、したがって、逆クリッカ８は、クリッカ機構のクリッカ機能７と相互作用するために、クラッチ部材１に対して動かないようにされる。
【００５４】
図２Ａは、本開示による第１の実施形態におけるクラッチ部材１の斜視図である。クラッチ部材１は、その遠位端に、継手１０を形成する歯１１を含む（以下の図３Ｂ参照）。クラッチ部材１は、その近位端（図２Ａの右端）に、クラッチ機能２０をさらに含む。クラッチ機能２０は、クラッチ機構および／またはクラッチ係合部を形成するように、アセンブリ１００または薬物送達デバイスのさらなるクラッチ部材２１（図３Ａ、５Ａに概略的に示される）と相互作用するように構成される。例えば、クラッチ係合部は、クラッチ部材１とさらなるクラッチ部材２１との間に回転ロッキングを形成するように構成される。クラッチ機能２０は、図示されるように、クラッチ部材１の円周に沿って歯状面を含むことができる。各歯は、長手方向に配置される側縁を含む。
【００５５】
図１Ａによれば、クラッチ部材１は、投薬クリッカ５をさらに含む。
【００５６】
図２Ｂは、本開示による第１の実施形態によるクリッカ部材２の斜視図である。クリッカ部材２は、クラッチ部材１の歯１１に適合する継手１０の歯１２を含む。図１Ｂによれば、クリッカ部材２は、突出部６を含む。
【００５７】
図２Ｃは、本開示による駆動スリーブ４の斜視図である。駆動スリーブ４は、例えばクリッカ部材２、ばね要素３および／またはクラッチ部材１の中を少なくとも部分的に延びることができるような細長い形状を含む。駆動スリーブ４は、アセンブリまたは薬物送達デバイスの、ピストンロッドのような別の構成要素と相互作用することが好ましい。好ましくは、駆動スリーブ４は、例えばアセンブリ１００が適用されるデバイスから薬物の用量を投薬するためのアセンブリ１００のピストンロッドに連結される（図３Ａ参照）。駆動スリーブ４は、さらに、クラッチ部材１に対して回転方向にロックされる。
【００５８】
図３Ａは、本開示によるアセンブリ１００の第１の実施形態の側面図である。図面には、すべてそろった薬物送達デバイスは示されないが、本開示の目的は、図２から５に示されるアセンブリ１００を含むような薬物送達デバイスに関することができる。アセンブリ１００は、長手方向軸Ｘを含む。
【００５９】
図１Ａ、１Ｂに示されるアセンブリとは対照的に、アセンブリ１００は、クラッチ部材１（図２Ａ参照）と、クリッカ部材２（図２Ｂ参照）とを含む。クリッカ部材２は、クリッカ機能７を含む。図１Ａ、１Ｂとは対照的に、逆クリッカ８は、さらに、駆動スリーブ４によって、具体的には駆動スリーブ４の近位面に設けられる。したがって、クリッカ機能７は、クリッカ部材２の遠位端に設けられる。クリッカ機能７および逆クリッカ８は、ともに、クリッカ機構をもたらすために、互いに適合する歯を含む。逆クリッカ８の歯は、逆クリッカ機能（明確に図示せず）を構築することができる。クリッカ部材２とクラッチ部材１との間には、ばね要素３、具体的には渦巻きばねが配置または保持される。ばね要素３は、付勢された状態で、クラッチ部材１とクリッカ部材２との間に配置または保持される。ばね要素３は、クラッチ部材１とクリッカ要素２を互いに遠ざけるように動かそうとする。図面には、例えばハウジングに対して、第１の軸方向位置に配置されているクラッチ部材１が示されている。この位置では、上述したクラッチ係合部は係合されている。図３Ａには、アセンブリ１００の別個の構成要素として、さらなるクラッチ部材２１が示されている。さらなるクラッチ部材２１は、クラッチ機能２０のように、クラッチ係合部を形成するようにクラッチ機能２０の歯状面と相互作用するように構成される円周方向に配置される歯状面（明確に図示せず）を含むことが好ましい。さらなるクラッチ部材２１は、アセンブリの用量ダイヤルスリーブであってよく、また投薬クリッカ５（以下参照）に貢献することができる。
【００６０】
さらなるクラッチ部材２１は、クラッチ部材１の外側かつハウジングの径方向内側に設けられる用量ダイヤルスリーブであってよい。使用者は、所望の用量をダイヤル設定または設定してから、その用量を、例えば起動ボタン（明確に図示せず）を押し下げることによって投薬することができる。これによって、クラッチ部材１は、さらなるクラッチ部材２１に対して軸方向に、第１の（軸方向）位置から第２の（軸方向）位置へと変位され、そこで上述したクラッチ機構が解放される。次いで、駆動スリーブ４、クラッチ部材１およびさらなるクラッチ部材２１は、ハウジングに対して一緒に回転することができる。さらに、クリッカ機能７の歯と逆クリッカ８の歯の相互作用によって、クラッチ部材１、したがってそれと一緒に駆動スリーブ４は、ハウジングに対して回転できなくなる。しかし、駆動スリーブ４は、ハウジングに対して軸方向に動くことができる。アセンブリ１００は、駆動スリーブ４の長手方向の軸方向運動によってアセンブリまたはデバイスのピストンロッドが回転され、それによってカートリッジ内のピストンが前進されて薬物の用量が投薬されるように構成される。
【００６１】
図３Ｂには、図３Ａのアセンブリ１００の一部がより詳細に示されている。クラッチ部材１の歯１１およびクリッカ部材２の歯１２は、継手１０を形成するように構成される。継手１０は、クラッチ部材１が第１の位置にあるときはクリッカ部材２とクラッチ部材１が相対的に回転することができ、クラッチ部材１が第２の位置にあるときは前記構成要素が相対的に回転しないようにする。それに応じて、継手１０の歯１１、１２は構成され形作られる。すなわち、歯１１、１２は、クリッカ機能７および／または逆クリッカ８の歯のような傾斜は含まないが、長手方向軸Ｘに対して平行に延びる縁を含む。
【００６２】
クラッチ部材１の上述した第１の位置において、クラッチ部材１がハウジングに対してまたは例えば駆動スリーブ４に対して回転されると、クリッカ機構は、上述したように起動され、ばね要素３は、例えばクリッカ機能７の歯が逆クリッカ８の歯の上を動くまたは通過するときに付勢される。したがって、クラッチ部材１および／またはクリッカ部材２は、少なくともある限度内で相対的に軸方向に動くことができるように、アセンブリ１００内で保持または支承される。クリッカ部材２は、クラッチ部材１、または場合によってはばね要素３と、駆動スリーブ４との間に保持されることが好ましい。
【００６３】
クラッチ機構の動作の間、すなわち、例えばクリッカ機能７の歯が逆クリッカの歯の上を通過するまたは動くとき（図１Ａ、１Ｂの記述参照）、クリッカ部材２は、ばね要素３の弾性に抗して近位に、すなわちクラッチ部材１（図３Ａ参照）に対して右に動かされることが好ましい。
【００６４】
クラッチ部材１が第１の軸方向位置から第２の軸方向位置へと動かされると、ばね要素３が付勢され、クリッカ機能７の歯と逆クリッカ８の歯が係合し、それによってクリッカ部材２に対するクラッチ部材１の回転が妨げられるまたは防止される。
【００６５】
アセンブリ１００は、クラッチ部材１の投薬クリッカ５およびクラッチ部材１とは別になっているフィードバック部材によって形成される、フィードバック機構をさらに含む。フィードバック部材は、例えばアセンブリ１００またはデバイスのさらなるクラッチ部材２１（図３Ｂには詳細に図示せず）であることが好ましい。フィードバック機構は、さらなるクラッチ部材２１（図３Ａ参照）を含むことが好ましい。クラッチ部材１が第２の位置にあるとき、トルクは、フィードバック機構によってクラッチ部材１に及ぼされることが好ましい。前記トルクは、クラッチ部材１に対して回転することができるフィードバック部材によってもたらされるフィードバックの主要因であり得る。前記トルクは、クリッカ部材２とクラッチ部材１の相対的な回転運動に影響を与えないほど小さいことが好ましい。歯が係合しているので、クリッカ部材２とクラッチ部材１を互いに軸方向に遠ざけるように動かすのにはさらなるトルクが必要である。さらなるトルクは、上述したトルクよりも大きい。
【００６６】
アセンブリ１００は、さらに、クラッチ部材１が第１の位置にあるとき、クリッカ部材２がクラッチ部材１に対して動かされるまたはその逆による軸方向距離が、継手１０の係合に必要なクラッチ部材１とクリッカ部材２の相対的な軸方向距離よりも小さいように構成される。
【００６７】
図４Ａは、本開示によるアセンブリ１００の一代替実施形態によるクリッカ部材２の斜視図である。図面には、例えば図２Ｂに示される実施形態とは対照的に、クリッカ部材２の近位端面が、対向して配置される歯のようなクリッカ機能７を含むことが示されている。図示される２つの歯は、クリッカ機構を形成するように逆クリッカ８と相互作用するように構成される（例えば、クリッカ部材２の長手方向軸に対して）傾いたまたは傾斜した側面をそれぞれ含む。
【００６８】
図４Ｂは、図４Ａの実施形態によるクラッチ部材１の斜視図である。クラッチ部材１は、その遠位端（図４Ｂの左）に、逆クリッカ８の歯を含む。前記歯は、クリッカ機構の動作の間、クリッカ機能７の歯と相互作用するように構成される。歯は、さらに、クラッチ部材１の全周にわたって延びる。クラッチ部材１は、その近位端（図４Ｂの右端）に、クラッチ機能２０をさらに含む。
【００６９】
図５Ａには、図４Ａ、４Ｂに示される実施形態によるアセンブリ１００が示されている。図２Ａ、２Ｂ、２Ｃおよび３Ａ、３Ｂに示される実施形態とは対照的に、ここには継手が設けられない。（クラッチ部材１の第２の位置における）クラッチ部材１とクリッカ部材２との間の回転ロッキングが、クリッカ機構の歯、すなわちクリッカ機能７の歯と逆クリッカ８の歯に採り入れられているので、継手はここにはなくてよい。図３Ａによれば、クラッチ部材１は、第１の位置に示され、したがって、クラッチ部材１とさらなるクラッチ部材２１との間のクラッチ係合部は係合されている。
【００７０】
これは、図５Ａのアセンブリ１００の一部をより詳細に示す図５Ｂにさらに詳細に示されている。ここでもやはり、ばね要素３は、クラッチ部材１とクリッカ部材２との間に、前記構成要素を互いに遠ざけるように付勢するために配置される。
【００７１】
この実施形態によるクラッチ機構の動作中、クリッカ機能７の歯は、逆クリッカの歯の上を通過することができることが好ましい（上述の動作参照）。次いで、クリッカ部材２は、ばね要素３の弾性に抗して、遠位方向、すなわちクラッチ部材１に対して左に動かされることが好ましい（図５Ａ参照）。あるいは、次いで、クラッチ部材１を、近位、すなわちクリッカ部材２に対して右に動かしてもよい。
【００７２】
突出部６に加えて、ハウジングに対してクラッチ部材２の固定を達成することができるさらに別の固定手段を設けてもよい。
【００７３】
本開示の概念によれば、二重の機能性である、第一に、クリッカの機能性を有効にし、そこにおいてクラッチ部材１とクリッカ部材２を離そうとすること、および、第二に、クラッチ部材１とさらなるクラッチ部材との間のクラッチ機構の機能性を有効にし、そこにおいて前記構成要素をクラッチ係合状態で保持しようとすることである、二重の機能性がばね要素に採り入れられていることが有利である。
【００７４】
本発明の保護の範囲は本明細書において上記で与えられている例に限定されるものではない。本発明は、各々の新しい特性および各々の特性の組合せにおいて具体化され、それは、この特徴またはこの特徴の組合せが特許請求の範囲中にまたは実施例中に明確に記述されていなくても、特許請求の範囲中に記述されているあらゆる特徴のすべての組合せを特に含む。
【符号の説明】
【００７５】
１  クラッチ部材
２  クリッカ部材
３  ばね要素
４  駆動スリーブ
５  投薬クリッカ
６  突出部
７  クリッカ機能
８  逆クリッカ
１０  継手
１１  歯
１２  歯
２０  クラッチ機能
２１  さらなるクラッチ部材
１００  アセンブリ
Ｘ  長手方向軸
【図１Ａ】
0006422969.tif 000002
【図１Ｂ】
0006422969.tif 000003
【図２Ａ】
0006422969.tif 000004
【図２Ｂ】
0006422969.tif 000005
【図２Ｃ】
0006422969.tif 000006
【図３Ａ】
0006422969.tif 000007
【図３Ｂ】
0006422969.tif 000008
【図４Ａ】
0006422969.tif 000009
【図４Ｂ】
0006422969.tif 000010
【図５Ａ】
0006422969.tif 000011
【図５Ｂ】
0006422969.tif 000012